(57)【特許請求の範囲】
【請求項１】
本体に対し表示ユニットを可動に組み付ける構造であって、
前記表示ユニットの背面を凸型の球形状に形成する一方、
前記本体には前記凸型の球形状に対応する凹型の曲面形状を形成して、
前記本体に対し前記表示ユニットを、前記凹型の曲面形状に沿って背面の前記凸型の球形状がスライド動作可能に組み付けたことを特徴とし、
さらに、前記凸型の球形状及び凹型の曲面形状の一方に第１の案内溝を形成すると共に、他方に前記第１の案内溝と直交する方向の第２の案内溝を形成し、
前記第１の案内溝にスライド自在に係合するスライドピンを有するスライド板を前記第２の案内溝にスライド自在に係合させたことを特徴とする表示ユニットの可動組付構造。
【請求項２】
本体に対し表示ユニットを可動に組み付けて備える電子機器であって、
請求項１に記載の可動組付構造による表示ユニットを備えることを特徴とする電子機器。
【発明の詳細な説明】
【技術分野】
【０００１】
本発明は、表示ユニットの可動組付構造と、その可動組付構造による表示ユニットを備える電子機器に関する。
【背景技術】
【０００２】
カメラにおいて、カメラ本体に対し２軸ヒンジを介してモニタ装置を取り付け、２軸ヒンジによりモニタの表示画面を上下左右に向けられるようにしたものが特許文献１に開示される。
また、カメラ本体に対し複数のヒンジと複数のアームを介してモニタ装置を取り付け、複数のヒンジ及びアームによりモニタの表示画面を上下両方向に揺動できるようにしたものが特許文献２に開示される。
【特許文献１】特開２００３−３１５８９１号公報
【特許文献２】特開平８−９８０６８号公報
【発明の開示】
【発明が解決しようとする課題】
【０００３】
しかし、従来はカメラ本体からモニタ装置を手前に引き出して回転させたり揺動させたりする動作が必要なため、その操作が煩わしく、スピーディーに動作させることができない問題があった。
また、従来はカメラ本体からモニタ装置を引き出した状態で、２軸ヒンジまたはヒンジ及びアームが露出するため、外観が悪くなってしまう問題もあった。
【０００４】
本発明の課題は、表示ユニットを簡単に素早くスライド操作でき、且つ外観も損なうことの無い表示ユニットの可動組付構造及び電子機器を提供することである。
【課題を解決するための手段】
【０００５】
以上の課題を解決するため、請求項１に記載の発明は、本体に対し表示ユニットを可動に組み付ける構造であって、前記表示ユニットの背面を凸型の球形状に形成する一方、前記本体には前記凸型の球形状に対応する凹型の曲面形状を形成して、前記本体に対し前記表示ユニットを、前記凹型の曲面形状に沿って背面の前記凸型の球形状がスライド動作可能に組み付けたことを特徴とし、さらに、前記凸型の球形状及び凹型の曲面形状の一方に第１の案内溝を形成すると共に、他方に前記第１の案内溝と直交する方向の第２の案内溝を形成し、前記第１の案内溝にスライド自在に係合するスライドピンを有するスライド板を前記第２の案内溝にスライド自在に係合させたことを特徴とする。
【００１０】
請求項２に記載の発明は、本体に対し表示ユニットを可動に組み付けて備える電子機器であって、請求項１に記載の可動組付構造による表示ユニットを備えることを特徴とする。
【発明の効果】
【００１１】
本発明によれば、表示ユニットを曲面形状に沿って簡単に素早くスライド操作することができ、しかも、スライド機構部が露出しないので、外観を損なうことが無い。
【発明を実施するための最良の形態】
【００１２】
以下、図を参照して本発明を実施するための最良の形態を詳細に説明する。
（実施形態１）
図１から図７は本発明を適用した電子機器の実施形態１の構成としてカメラを示したもので、１はカメラ本体、２は表示ユニットである。
【００１３】
カメラ本体１は、前面に撮影用のレンズ１１を備えて、上面にシャッターボタン１２を備え、後面は凹型の曲面形状１３に形成されている。この凹型の曲面形状１３は、図５に示すように、一様な円弧形状で図示例では横に倒した円筒の一部をなしている。そして、凹型の曲面形状１３の左右には、上下方向に沿って平行に伸びる一対の案内溝１４が形成されている。
【００１４】
表示ユニット２は、前面に液晶表示画面２１を備え、背面は凸型の曲面形状２３に形成されている。この凸型の曲面形状２３は、前記凹型の曲面形状１３に対応して合致するもので、一様な円弧形状であり、図示例では横に倒した円筒の一部をなしている。そして、凸型の曲面形状２３の左右には、前記一対の案内溝１４にスライド自在に係合する一対のスライドピン２４が設けられている。
【００１５】
なお、スライドピン２４は、図５では、表示ユニット２の背面に突出する形態で示されているが、実際は、図６及び図７に示すように、カメラ本体１の内側から案内溝１４に挿通され、その筒状部に表示ユニット２の内側からビス２５をねじ込むことで、取り付けられるものである。
これによって、表示ユニット２は、カメラ本体１に対し、案内溝１４が延びている上下方向にスライド可能となる。
なお、図中、２６はコイルスプリング、２７はワッシャである。コイルスプリング２６は、各スライド位置で表示ユニット２をカメラ本体１に対して保持するためのものであり、板バネ等の他の弾性部材に置き換え可能である。
【００１６】
図２は図１のカメラを表示ユニット２側から示したもので、その表示ユニット２をカメラ本体１の凹型の曲面形状１３に沿って上方にスライドさせると、図３に示す状態となり、液晶表示画面２１を見ながらシャッターボタン１２を押すことで、ハイアングル撮影を行うことができる。
【００１７】
また、表示ユニット２をカメラ本体１の凹型の曲面形状１３に沿って下方にスライドさせると、図４に示す状態となり、液晶表示画面２１を見ながらシャッターボタン１２を押すことで、ローアングル撮影を行うことができる。
【００１８】
以上、実施形態のカメラによれば、カメラ本体１の凹型の曲面形状１３に対し表示ユニット２を背面の凸型の曲面形状２３で沿わせて簡単に素早くスライド操作することができる。
しかも、スライド機構部、つまり、案内溝１４に係合するスライドピン２４は、凹型及び凸型の曲面形状１３・２３間にあって外部に露出しないため、外観を損ねることも無い。
【００１９】
（変形例１）
前述した実施形態１では、表示ユニット２を上方或いは下方に目一杯スライドさせたとき、図３、図４に示すように、案内溝１４の上下端が露出する構成となっていたが、案内溝１４の上下方向長さを短くして、表示ユニット２を上方或いは下方に目一杯スライドさせても案内溝１４の上下端が外部に露出しない構成にしても良い。
【００２０】
（変形例２）
また、スライドピン２４の筒状部の長さ及びコイルスプリング２６の長さを長くして、図８に示すように、表示ユニット２を手前側に引き出せるようにしても良い。
【００２１】
（変形例３）
図９及び図１０は変形例３のカメラを示したもので、１はカメラ本体、１１はレンズ、１２はシャッターボタン、１３は凹型の曲面形状、２は表示ユニット、２１は液晶表示画面、２３は凸型の曲面形状である。
【００２２】
すなわち、前述した実施形態１では、カメラ本体１と同じ大きさの表示ユニット２であったのに対し、この変形例２は、カメラ本体１よりも横幅が小さな表示ユニット２としたものであり、表示ユニット２のスライド機構は実施形態１と同一である。このように、カメラ本体１よりも横幅が小さな表示ユニット２においても、本発明は適用可能である。特に、図９及び図１０に示すように、レンズ１１の後方に表示ユニット２が位置しない構成の場合には、カメラ本体１内でのレンズ部の収納空間を大きく取ることができるので、ズームレンズの搭載も可能となる。
【００２３】
また、図示しないが、カメラ本体１よりも高さが小さな表示ユニット２や、カメラ本体１よりも横幅及び高さともに小さな表示ユニット２においても、本発明は適用可能である。
【００２４】
（実施形態２）
図１１から図１５は実施形態２のカメラを示したもので、前述した実施形態１と同様、１はカメラ本体、１３は凹型の曲面形状、１４は案内溝、２は表示ユニット、２１は液晶表示画面、２３は凸型の曲面形状、２４はスライドピンであって、１６は案内溝である。
【００２５】
この実施形態２においては、カメラ本体１後面の凹型の曲面形状１３と表示ユニット２背面の凸型の曲面形状２３は、図示のように、球形状の一部をなしている。そして、その球形状の一部をなす凹型の曲面形状１３の中央には、上下方向に沿って伸びる案内溝１４と左右方向に沿って伸びる案内溝１６が真ん中で交差して十字状に形成されている。また、球形状の一部をなす凸型の曲面形状２３の中央には、前記十字状の案内溝１４・１６に係合するスライドピン２４が設けられている。なお、スライドピン２４の取り付け方法は実施形態１と同様であり、図示していないが、ビス２５と表示ユニット２のケース内面との間には、コイルスプリング及びワッシャが設けられる。
これによって、表示ユニット２は、カメラ本体１に対し、案内溝１４が延びている上下方向及び案内溝１６が延びている左右方向にスライド可能となる。
【００２６】
図１１はカメラを表示ユニット２側から示したもので、その表示ユニット２をカメラ本体１の凹型の曲面形状１３に沿って下方にスライドさせると、図１２に示す状態となり、液晶表示画面２１を見ながらシャッターボタン（図示例では省略）を押すことにより、ローアングルで撮影できる。
【００２７】
また、表示ユニット２をカメラ本体１の凹型の曲面形状１３に沿って上方にスライドさせると、液晶表示画面２１を見ながらハイアングルで撮影できる。
【００２８】
そして、表示ユニット２をカメラ本体１の凹型の曲面形状１３に沿って左方向にスライドさせると、図１３に示す状態となり、斜め横に液晶表示画面２１を見ながら撮影できる。また、縦長画面で使用して、液晶表示画面２１を見ながらローアングルやハイアングルで撮影できる。
【００２９】
以上、実施形態２のカメラによれば、前述した実施形態１と同様の作用効果が得られることに加え、カメラ本体１に対し表示ユニット２を球形状の一部をなす凹型及び凸型の曲面形状１３・２３により、左右方向の案内溝１６にスライドピン２４を沿わせて横方向にもスライド操作することができる。従って、縦長画面で使用して、液晶表示画面２１を見ながらローアングルやハイアングルで撮影することもできる。
【００３０】
（実施形態３）
図１６から図１９は実施形態３のカメラを示したもので、１はカメラ本体、１３は凹型の曲面形状、１４は案内溝、２は表示ユニット、２１は液晶表示画面、２３は凸型の曲面形状、２８は案内溝、１７は案内溝１４に係合するスライドピン２４を供えたスライド板である。そして、カメラ本体１後面の凹型の曲面形状１３と表示ユニット２背面の凸型の曲面形状２３は、前述した実施形態２と同様、球形状の一部をなしている。
すなわち、実施形態３は前述した実施形態２の変形例に相当するものである。
【００３１】
すなわち、実施形態３は、カメラ本体１後面の球形状の一部をなす凹型の曲面形状１３の中央に、上下方向に沿って伸びる案内溝１４のみを形成する一方、表示ユニット２背面の球形状の一部をなす凸型の曲面形状２３の中央に、左右方向に沿って案内溝２８を形成して、案内溝１４に係合するスライドピン２４を備えたスライド板１７を案内溝２８内に挿入している。
【００３２】
スライド板１７は、その長さが案内溝２８の長さよりも短く、且つその形状が表示ユニット２背面の球形状に対応した湾曲形状となっている金属製或いはプラスチック製の板で、その中央部に小孔が形成されている。そして、スライド板１７へのスライドピン２４の取り付けは、スライドピン２４をカメラ本体１の内側から案内溝１４に挿通し、その筒状部にスライド板１７の小孔を位置合わせして、スライド板１７の凹面側からビス２５をねじ込むことで行われる。これにより、スライド板１７が、カメラ本体１に対し、上下方向にスライド可能に取り付けられた状態となる。なお、図示していないが、スライドピン２４の先端部と本体１のケース内面との間にコイルスプリング或いは板バネ等の弾性部材を設ける。
【００３３】
上記のようにしてカメラ本体１に取り付けられたスライド板１７は、表示ユニット２の背面に形成された案内溝２８に表示ユニット２の側面側から挿入される。これにより、表示ユニット２は案内溝２８にスライド自在に係合しているスライド板１７に沿ってスライド可能となる。なお、スライド板１７を案内溝２８に挿入した後、案内溝２８の挿入側端部に栓２９を差し込んで、スライド板１７が案内溝２８から抜け落ちるのを防止する。
【００３４】
このように、十字状の案内溝１４・１６に代えて、案内溝１４、スライド板１７及び案内溝２８を設けても、案内溝１４に沿ってスライド板１７が上下動し、スライド板１７に沿って表示ユニット２が左右に首を振ることにより、前述した実施形態２と同様の作用効果が得られる。
【００３５】
（その他の変形例）
なお、以上の実施形態においては、カメラとしたが、本発明はこれに限定されるものではなく、例えば携帯電話を含む他の電子機器であっても良い。
また、実施形態１及び２では、本体に案内溝を形成して、表示ユニットにスライドピンを設けたが、表示ユニットに案内溝を形成して、本体にスライドピンを設けても良い。
また、実施形態３では、スライドピンが係合する案内溝１４を本体側に上下方向に形成し、スライド板が係合する案内溝２８を表示ユニット側に左右方向に形成したが、案内溝１４を表示ユニット側に形成し、案内溝２８を本体側に形成するようにしても良い。また、案内溝１４及び案内溝２８の形成方向は、案内溝１４及び案内溝２８を何れの側に形成するにしても、互いに直交する方向であれば良い。
さらに、表示ユニット及び本体のデザイン、表示画面の種類等も任意であり、その他、具体的な細部構造等についても適宜に変更可能であることは勿論である。
【図面の簡単な説明】
【００３６】
【図１】本発明を適用した電子機器の実施形態１の構成を示すもので、カメラを本体側から示した斜視図である。
【図２】図１のカメラを表示ユニット側から示した斜視図（ａ）とその側面図（ｂ）である。
【図３】図２の表示ユニットを上方にスライドさせた状態を示した図（ａ）とその側面図（ｂ）である。
【図４】図２の表示ユニットを下方にスライドさせた状態を示した図（ａ）とその側面図（ｂ）である。
【図５】図２の表示ユニットを裏側にして本体とともに示した分解図である。
【図６】図２の表示ユニット及び本体の部品構成を示した分解斜視図である。
【図７】表示ユニット及び本体の組付状態を示した縦断側面図（ａ）とその要部拡大図（ｂ）である。
【図８】変形例２を示すもので、表示ユニットを手前に引き出した状態を示した側面図である。
【図９】変形例３を示すもので、カメラを本体側から示した斜視図である。
【図１０】図９のカメラを表示ユニット側から示した斜視図である。
【図１１】実施形態２を示すもので、カメラを表示ユニット側から示した斜視図である。
【図１２】図１１の表示ユニットを下方にスライドさせた状態を示した図である。
【図１３】図１１の表示ユニットを側方にスライドさせた状態を示した図である。
【図１４】図１１の表示ユニットを裏側にして本体とともに示した分解図である。
【図１５】図１１の本体及び表示ユニットの部品構成を示した分解斜視図である。
【図１６】実施形態３を示すもので、本体を表示ユニット組付部側から示した斜視図である。
【図１７】表示ユニットを本体組付部側から示した斜視図である。
【図１８】図１６の表示ユニット及び本体の部品構成を示した分解斜視図である。
【図１９】表示ユニット及び本体の組付状態を示した縦断側面図（ａ）とその要部拡大図（ｂ）である。
【符号の説明】
【００３７】
１  本体
１１  レンズ
１２  シャッターボタン
１３  凹型の曲面形状
１４  案内溝
１５  前面パネル
１６  案内溝
１７  スライド板
２  表示ユニット
２１  表示画面
２３  凸型の曲面形状
２４  スライドピン
２５  ビス
２６  コイルスプリング
２８  案内溝
【図１】
0005131043.tif 000002
【図２】
0005131043.tif 000003
【図３】
0005131043.tif 000004
【図４】
0005131043.tif 000005
【図５】
0005131043.tif 000006
【図６】
0005131043.tif 000007
【図７】
0005131043.tif 000008
【図８】
0005131043.tif 000009
【図９】
0005131043.tif 000010
【図１０】
0005131043.tif 000011
【図１１】
0005131043.tif 000012
【図１２】
0005131043.tif 000013
【図１３】
0005131043.tif 000014
【図１４】
0005131043.tif 000015
【図１５】
0005131043.tif 000016
【図１６】
0005131043.tif 000017
【図１７】
0005131043.tif 000018
【図１８】
0005131043.tif 000019
【図１９】
0005131043.tif 000020